(57)【特許請求の範囲】
【請求項１】
モータ及び前記モータにより駆動されるエアポンプ、並びに前記モータの電源である電池が収容され、活魚輸送容器の容器本体に配置されるエアポンプ装置と、前記容器本体の活魚収容部内に配置されるエア吹出し体と、前記エアポンプ及び前記エア吹出し体を繋ぐエアホースとを備えた活魚輸送容器用エア吹込み装置であって、
前記エアポンプ装置の前記電池を収容する電池収容部の電極と前記電池の電極との間である電極間に、可撓性のある長尺のテープ体を介在させるとともに、前記テープ体の一端部を前記エアポンプ装置の外側に位置させ、前記テープ体を引き出す操作により前記テープ体が前記電極間を摺動するように構成してなり、
前記テープ体の第１所定長さの引出しにより前記モータが駆動状態となり、前記駆動状態における前記テープ体の第２所定長さの引出しにより前記モータが停止状態となり、前記停止状態における前記テープ体の第３所定長さの引出し又は前記テープ体の引抜きにより前記モータが駆動状態となることを特徴とする活魚輸送容器用エア吹込み装置。
【請求項２】
前記テープ体を電気絶縁性にするとともに所定箇所に導通用穴を形成してなり、
前記第テープ体を前記第１所定長さ引き出した際には、前記導通用穴が前記電極間に位置することにより、前記電極間が導通して前記モータが駆動状態となり、
前記テープ体をさらに前記第２所定長さ引き出した際には、前記導通用穴が前記電極間から外れることにより、前記電極間が絶縁されて前記モータが停止状態となり、
前記テープ体をさらに前記第３所定長さ引き出した際には、前記導通用穴が前記電極間に位置することにより、又は、前記テープ体を引き抜いた際には、前記電極間に介在する前記テープ体が無くなることにより、前記電極間が導通して前記モータが駆動状態となる請求項１記載の活魚輸送容器用エア吹込み装置。
【請求項３】
前記テープ体の前記第１所定長さの引出し及び前記第２所定長さの引出し、又は、前記テープ体の前記第１所定長さの引出し、前記第２所定長さの引出し及び前記第３所定長さの引出しを視認できる視認手段を前記テープ体に設けてなる請求項１又は２記載の活魚輸送容器用エア吹込み装置。
【請求項４】
請求項１〜３の何れか１項に記載の活魚輸送容器用エア吹込み装置と、上面開口から水とともに活魚を収容する容器本体と、前記上面開口を塞ぐ蓋体とからなる活魚輸送容器であって、
前記テープ体の前記エアポンプ装置の外側に位置する部分を保持する保持手段を前記容器本体に備えてなることを特徴とする活魚輸送容器。
【請求項５】
前記テープ体の前記第１所定長さの引出し及び前記第２所定長さの引出し、又は、前記テープ体の前記第１所定長さの引出し、前記第２所定長さの引出し及び前記第３所定長さの引出しを視認できる視認手段を前記容器本体に設けてなる請求項４記載の活魚輸送容器。
【請求項６】
前記容器本体に、その側方から前記エアポンプ装置を出し入れ可能なエアポンプ装置収容部を設けるとともに、前記テープ体を引き出す操作力による前記エアポンプ装置の移動を規制する当止部を設けてなる請求項４又は５記載の活魚輸送容器。
【請求項７】
前記容器本体及び前記蓋体が発泡合成樹脂製である請求項４〜６の何れか１項に記載の活魚輸送容器。
【請求項８】
請求項４〜７の何れか１項に記載の活魚輸送容器を用いて、前記活魚輸送容器の容器本体の活魚収容部内に水とともに活魚を収容し、前記容器本体の上面開口を前記活魚輸送容器の蓋体により塞いだ状態で前記活魚を空輸する活魚輸送方法であって、
空港まで陸路を輸送する際には、前記テープ体を前記第１所定長さ引き出して前記モータを駆動状態とし、
離陸前に、前記テープ体をさらに前記第２所定長さ引き出して前記モータを停止状態として空輸し、
着陸後に、前記テープ体をさらに前記第３所定長さ引き出すか、あるいは前記テープ体を引き抜いて前記モータを駆動状態とすることを特徴とする活魚輸送方法。
【発明の詳細な説明】
【技術分野】
【０００１】
本発明は、活魚を活きたまま確実に輸送するために、空気中の酸素を水中に溶け込ませるためのエア吹込み装置、及びエア吹込み装置を備えた活魚輸送容器、並びに活魚輸送方法に関する。
【背景技術】
【０００２】
活きている魚介類（活魚）を活きたまま輸送する活魚輸送において、容積をなるべく小さくして輸送効率を高めながら活魚を活きたまま確実に輸送するために、空気中の酸素を水中に溶け込ませるためのエア吹込み装置を備えた活魚輸送容器がある（例えば、特許文献１〜４参照）。
このような活魚輸送容器に使用されるエア吹込み装置は、モータ及び前記モータにより駆動されるエアポンプ、並びに前記モータの電源である電池が収容され、活魚輸送容器の容器本体内に配置されるエアポンプ装置と、前記容器本体の活魚収容部内に配置されるエア吹出し体と、前記エアポンプ及び前記エア吹出し体を繋ぐエアホースとを備えており、エアポンプ装置のスイッチ（例えば、特許文献４の図２のスイッチ１２参照）を操作することにより、エアポンプを駆動するモータの駆動及び停止が切り替えられる。
【先行技術文献】
【特許文献】
【０００３】
【特許文献１】特許第３７８９３４４号公報
【特許文献２】特許第３９１４１２５号公報
【特許文献３】特許第４７６６９７９号公報
【特許文献４】特許第４９２３５８０号公報
【発明の概要】
【発明が解決しようとする課題】
【０００４】
活魚輸送において、なるべく早く活魚を流通させるため、あるいはより遠方へ鮮度良く輸送することを企図して、一般的なトラック便ではなく航空便を用いることが考えられる。
エア吹込み装置を備えた活魚輸送容器に水とともに活魚を収容して活きたまま空輸する場合、電磁ノイズを抑制して航空機の運行の安全を確保するために、離陸前にエアポンプ装置のモータを停止させる必要があるので、そのためにエアポンプ装置のスイッチをオフにするように操作して前記モータを停止させなければならない。
その上、着陸後には、エアポンプ装置のモータを駆動してエア吹込み装置を作動させるために、エアポンプ装置のスイッチをオンにする操作を迅速に行う必要がある。
このようなエアポンプ装置のモータの停止及び駆動を切り替えるためのスイッチの操作は、容器本体から蓋体を取り外した状態、又は容器本体からエアポンプ装置を取り出した状態で行う必要があるので作業性が悪いため、空輸する活魚輸送容器の数量が多ければ多い程多くの手間が掛かる。このため、現実には、こうした活魚輸送容器を空輸する試みは実施されるに至っていない。
【０００５】
そこで本発明が前述の状況に鑑み、解決しようとするところは、エア吹込み装置を備えた活魚輸送容器に水とともに活魚を収容して活きたまま空輸する場合において、離陸前や着陸後に行うエアポンプ装置のモータの停止及び駆動を切り替える作業の作業性が良い、活魚輸送容器用エア吹込み装置、及びエア吹込み装置を備えた活魚輸送容器、並びに活魚輸送方法を提供する点にある。
【課題を解決するための手段】
【０００６】
本発明に係る活魚輸送容器用エア吹込み装置は、前記課題解決のために、モータ及び前記モータにより駆動されるエアポンプ、並びに前記モータの電源である電池が収容され、活魚輸送容器の容器本体に配置されるエアポンプ装置と、前記容器本体の活魚収容部内に配置されるエア吹出し体と、前記エアポンプ及び前記エア吹出し体を繋ぐエアホースとを備えた活魚輸送容器用エア吹込み装置であって、前記エアポンプ装置の前記電池を収容する電池収容部の電極と前記電池の電極との間である電極間に、可撓性のある長尺のテープ体を介在させるとともに、前記テープ体の一端部を前記エアポンプ装置の外側に位置させ、前記テープ体を引き出す操作により前記テープ体が前記電極間を摺動するように構成してなり、前記テープ体の第１所定長さの引出しにより前記モータが駆動状態となり、前記駆動状態における前記テープ体の第２所定長さの引出しにより前記モータが停止状態となり、前記停止状態における前記テープ体の第３所定長さの引出し又は前記テープ体の引抜きにより前記モータが駆動状態となることを特徴とする（請求項１）。
【０００７】
このような構成によれば、可撓性のある長尺のテープ体のエアポンプ装置の外側に位置する部分を引き出す操作により、前記テープ体を第１所定長さ引き出すとエアポンプ装置のモータが駆動状態となるので、エアポンプ装置の外側から前記テープ体を第１所定長さ引き出す簡単な操作により、前記モータを停止状態から駆動状態に切り替えることができる。
その上、前記テープ体をさらに第２所定長さ引き出すと前記モータが停止状態となるので、エアポンプ装置の外側から前記テープ体を第２所定長さ引き出す簡単な操作により、前記モータを駆動状態から停止状態に切り替えることができる。
その上さらに、前記テープ体をさらに第３所定長さ引き出すと前記モータが駆動状態となるので、エアポンプ装置の外側から前記テープ体を第３所定長さ引き出す簡単な操作により、前記モータを停止状態から駆動状態に切り替えることができる。あるいは、前記テープ体を引き抜くと前記電極間に介在する前記テープ体が無くなって前記モータが駆動状態となるので、エアポンプ装置の外側から前記テープ体を引き抜く簡単な操作により、前記モータを停止状態から駆動状態に切り替えることができる。
よって、活魚輸送容器の容器本体にエアポンプ装置を配置した状態で、容器本体の外側から前記テープ体を引き出す簡単な操作により、前記モータの停止及び駆動を切り替えることができるので、前記モータの停止及び駆動を切り替える作業の作業性を向上できる。
また、エアポンプ装置の電池収容部の電極と電池の電極との間である電極間に可撓性のある長尺のテープ体を介在させ、エアポンプ装置の外側から前記テープ体を引き出す操作により前記電極間を摺動させるという簡素な構成であるので、製造コストの増大を抑制できる。
【０００８】
ここで、前記テープ体を電気絶縁性にするとともに所定箇所に導通用穴を形成してなり、前記第テープ体を前記第１所定長さ引き出した際には、前記導通用穴が前記電極間に位置することにより、前記電極間が導通して前記モータが駆動状態となり、前記テープ体をさらに前記第２所定長さ引き出した際には、前記導通用穴が前記電極間から外れることにより、前記電極間が絶縁されて前記モータが停止状態となり、前記テープ体をさらに前記第３所定長さ引き出した際には、前記導通用穴が前記電極間に位置することにより、又は、前記テープ体を引き抜いた際には、前記電極間に介在する前記テープ体が無くなることにより、前記電極間が導通して前記モータが駆動状態となると好ましい（請求項２）。
このような構成によれば、全体が電気絶縁性のテープ材の所定箇所に導通用穴を形成するだけで前記テープ体を製造できるので、製造コストを低減できる。
【０００９】
また、前記テープ体の前記第１所定長さの引出し及び前記第２所定長さの引出し、又は、前記テープ体の前記第１所定長さの引出し、前記第２所定長さの引出し及び前記第３所定長さの引出しを視認できる視認手段を前記テープ体に設けてなるとさらに好ましい（請求項３）。
このような構成によれば、可撓性のある長尺のテープ体に設けた視認手段により、前記テープ体の第１所定長さの引出し及び第２所定長さの引出し、又は、前記テープ体の第１所定長さの引出し、第２所定長さの引出し及び第３所定長さの引出しを視認できるので、前記テープ体を第１所定長さ引き出してエアポンプ装置のモータを停止状態から駆動状態に切り替える切替操作、及び、前記テープ体をさらに第２所定長さ引き出して前記モータを駆動状態から停止状態に切り替える切替操作、又は、前記テープ体を第１所定長さ引き出して前記モータを停止状態から駆動状態に切り替える切替操作、前記テープ体をさらに第２所定長さ引き出して前記モータを駆動状態から停止状態に切り替える切替操作、及び、前記テープ体をさらに第３所定長さ引き出して前記モータを停止状態から駆動状態に切り替える切替操作の作業性を一層向上できるとともに、前記切替操作の確実性を向上できる。
【００１０】
本発明に係る活魚輸送容器は、前記課題解決のために、請求項１〜３の何れか１項に記載の活魚輸送容器用エア吹込み装置と、上面開口から水とともに活魚を収容する容器本体と、前記上面開口を塞ぐ蓋体とからなる活魚輸送容器であって、前記テープ体の前記エアポンプ装置の外側に位置する部分を保持する保持手段を前記容器本体に備えてなることを特徴とする（請求項４）。
このような構成によれば、可撓性があるためにひらひらと動きやすいテープ体のエアポンプ装置の外側に位置する部分が容器本体の保持手段により保持されるので、活魚輸送容器を搬送する際に前記テープ体が何かに引っ掛かって引き出され、エアポンプ装置のモータの所期状態（停止状態又は駆動状態）が不意に変化してしまうことを防止できる。
【００１１】
ここで、前記テープ体の前記第１所定長さの引出し及び前記第２所定長さの引出し、又は、前記テープ体の前記第１所定長さの引出し、前記第２所定長さの引出し及び前記第３所定長さの引出しを視認できる視認手段を前記容器本体に設けてなると好ましい（請求項５）。
このような構成によれば、容器本体に設けた視認手段により、可撓性のある長尺のテープ体の第１所定長さの引出し及び第２所定長さの引出し、又は、前記テープ体の第１所定長さの引出し、第２所定長さの引出し及び第３所定長さの引出しを視認できるので、前記テープ体を第１所定長さ引き出してエアポンプ装置のモータを停止状態から駆動状態に切り替える切替操作、及び、前記テープ体をさらに第２所定長さ引き出して前記モータを駆動状態から停止状態に切り替える切替操作、又は、前記テープ体を第１所定長さ引き出して前記モータを停止状態から駆動状態に切り替える切替操作、前記テープ体をさらに第２所定長さ引き出して前記モータを駆動状態から停止状態に切り替える切替操作、及び、前記テープ体をさらに第３所定長さ引き出して前記モータを停止状態から駆動状態に切り替える切替操作の作業性を一層向上できるとともに、前記切替操作の確実性を向上できる。
【００１２】
また、前記容器本体に、その側方から前記エアポンプ装置を出し入れ可能なエアポンプ装置収容部を設けるとともに、前記テープ体を引き出す操作力による前記エアポンプ装置の移動を規制する当止部を設けてなるとさらに好ましい（請求項６）。
このような構成によれば、容器本体の側方からエアポンプ装置を出し入れできるので、エアポンプ装置の出し入れが容易である。
その上、可撓性のある長尺のテープ体を引き出す操作力によるエアポンプ装置の移動が容器本体に設けた当止部により規制されるので、前記テープ体を引き出す操作を行ってもエアポンプ装置が移動しないため、エアポンプ装置のモータを停止状態又は駆動状態に切り替える切替操作を前記テープ体の引出しにより行う作業の確実性をさらに向上できる。
【００１３】
さらに、前記容器本体及び前記蓋体が発泡合成樹脂製であると一層好ましい（請求項７）。
このような構成によれば、活魚輸送容器の容器本体及び蓋体が発泡合成樹脂製であるので、軽量であるとともに断熱性に優れているため、活魚の輸送に好適なものとなる。
その上、容器本体及び蓋体を発泡ポリスチレン製にすることにより低コスト化を図ることができる。
【００１４】
本発明に係る活魚輸送方法は、前記課題解決のために、請求項４〜６の何れか１項に記載の活魚輸送容器を用いて、前記活魚輸送容器の容器本体の活魚収容部内に水とともに活魚を収容し、前記容器本体の上面開口を前記活魚輸送容器の蓋体により塞いだ状態で前記活魚を空輸する活魚輸送方法であって、空港まで陸路を輸送する際には、前記テープ体を前記第１所定長さ引き出して前記モータを駆動状態とし、離陸前に、前記テープ体をさらに前記第２所定長さ引き出して前記モータを停止状態として空輸し、着陸後に、前記テープ体をさらに前記第３所定長さ引き出すか、あるいは前記テープ体を引き抜いて前記モータを駆動状態とすることを特徴とする（請求項８）。
【００１５】
このような活魚輸送方法によれば、空港まで陸路を輸送する際には、可撓性のある長尺のテープ体を第１所定長さ引き出す簡単な操作を行うことにより、エアポンプ装置のモータを駆動状態にできるので、エア吹込み装置により空気中の酸素を水中に溶け込ませながら輸送できる。
その上、空港まで陸路を輸送した後、航空機に積み込んで離陸する前に、前記テープ体をさらに第２所定長さ引き出す簡単な操作を行うことにより、前記モータを停止状態にできるので、電磁ノイズを抑制できるため航空機の運行の安全が確保される。
その上さらに、航空機が着陸した後には、前記テープ体をさらに第３所定長さ引き出す簡単な操作か、あるいは前記テープ体を引き抜く簡単な操作を行うことにより、前記モータを駆動状態にできるので、エア吹込み装置により空気中の酸素を水中に溶け込ませながら輸送できる。
よって、活魚輸送容器の容器本体にエアポンプ装置を配置した状態で、容器本体の外側から前記テープ体を引き出す簡単な操作により、前記モータの停止及び駆動を切り替えることができるので、前記モータの停止及び駆動を切り替える作業の作業性を向上できる。
なお、活魚輸送容器の容器本体にエアポンプ装置を配置するについては、容器本体内にエアポンプ装置を配置するのが、エアポンプ装置をしっかりと設置するのに最も好ましいが、容器本体の外側に適切な手段にて配置することも可能であり適宜選択できる。
【発明の効果】
【００１６】
以上のように、本発明に係る活魚輸送容器用エア吹込み装置及び活魚輸送容器並びに活魚輸送方法によれば、エア吹込み装置を備えた活魚輸送容器に水とともに活魚を収容して活きたまま空輸する場合において、
（１）活魚輸送容器の容器本体にエアポンプ装置を配置した状態で、容器本体の外側から可撓性のある長尺のテープ体を引き出す簡単な操作により、エアポンプ装置のモータの停止及び駆動を切り替えることができるので、前記モータの停止及び駆動を切り替える作業の作業性を向上できること、
（２）エアポンプ装置の電池収容部の電極と電池の電極との間である電極間に前記テープ体を介在させ、エアポンプ装置の外側から前記テープ体を引き出す操作により前記電極間を摺動させるという簡素な構成であるので、製造コストの増大を抑制できること、
等の顕著な効果を奏する。
【図面の簡単な説明】
【００１７】
【図１】本発明の実施の形態に係る活魚輸送容器を示す斜視図である。
【図２】活魚輸送容器の容器本体及び蓋体、並びにエア吹込み装置を示す分解斜視図である。
【図３】図２において、容器本体にエア吹込み装置を収容した状態を示す分解斜視図である。
【図４】本発明の実施の形態に係るエア吹込み装置のエアポンプ装置の構造を示す縦断面図、及びテープ体の引出しによるモータの駆動・停止の切替操作の説明図であり、前記説明図において、（ａ）は使用前におけるモータが停止している状態、（ｂ）はテープ体を第１所定長さ引き出してモータが駆動している状態、（ｃ）はテープ体をさらに第２所定長さ引き出してモータが停止している状態、（ｄ）はエアポンプ装置からテープ体を引き抜いてモータが駆動している状態を示している。
【図５】視認手段の例を示す要部拡大側面図であり、（ａ）は使用前におけるモータが停止している状態、（ｂ）はテープ体を第１所定長さ引き出してモータが駆動している状態、（ｃ）はテープ体をさらに第２所定長さ引き出してモータが停止している状態、（ｄ）はエアポンプ装置からテープ体を引き抜いてモータが駆動している状態を示している。
【図６】活魚輸送容器内に水とともに活魚を収容した状態を示す縦断面図であり、（ａ）は使用前におけるモータが停止している状態、（ｂ）はテープ体を第１所定長さ引き出してモータが駆動している状態を示している。
【図７】同じく縦断面図であり、（ａ）はテープ体をさらに第２所定長さ引き出してモータが停止している状態、（ｂ）はエアポンプ装置からテープ体を引き抜いてモータが駆動している状態を示している。
【図８】輸送の際に多数の活魚輸送容器を並べた例を示す斜視図である。
【発明を実施するための形態】
【００１８】
次に本発明の実施の形態を添付図面に基づき詳細に説明するが、本発明は、添付図面に示された形態に限定されず特許請求の範囲に記載の要件を満たす実施形態の全てを含むものである。
【００１９】
図１の斜視図、図２及び図３の分解斜視図、図４の縦断面図に示すように、本発明の実施の形態に係るエア吹込み装置１は、エアポンプ装置２、エア吹出し体３、並びにエアポンプＰ（図４参照）及びエア吹出し体３を繋ぐエアホース４からなる。
また、本発明の実施の形態に係る活魚輸送容器１１は、容器本体１２、及び容器本体１２の上面開口１２Ａを塞ぐように容器本体１２の上端部に嵌合する蓋体１３、並びにエア吹込み装置１からなり、エア吹込み装置１のエアポンプ装置２は、エアポンプ装置収容部１２Ｃ（図２参照）に収容された状態で容器本体１２に保持される。
ここで、容器本体１２及び蓋体１３は、軽量であるとともに断熱性に優れた、発泡ポリスチレン系樹脂、発泡ポリエチレン系樹脂、発泡ポリプロピレン系樹脂等の発泡ポリオレフィン系樹脂、ポリスチレン変性発泡ポリエチレン等のポリスチレン変性発泡ポリオレフィン系樹脂、硬質発泡ウレタン系樹脂等の発泡合成樹脂製であり、主にコスト面から発泡ポリスチレンが好ましい。
【００２０】
図４に示すように、エアポンプ装置２は、モータＭ及びモータＭにより駆動されるエアポンプＰ、電池収容部５に収容される、モータＭの電源であり乾電池又は二次電池である並列電池Ｂ，Ｂ、並びにテープ体６からなる。
テープ体６は、長尺で可撓性を有する電気絶縁性のテープ材であり、一端部６Ａはエアポンプ装置２の外側に、他端部６Ｂは電池収容部５内に位置し、中間部分が電池収容部５の電極ＴＡ，ＴＡと電池Ｂ，Ｂの電極ＴＢ，ＴＢとの間である電極間に介在するとともに、所定箇所に導通用穴７，８が形成される。
【００２１】
図１に示す容器本体１２に形成された、保持手段である上下方向の凹条１０の幅（溝幅）はテープ体６の幅よりも若干小さく形成されている。したがって、テープ体６のエアポンプ装置２の外側に位置する部分を凹条１０内に入れることにより、凹条１０内に入った状態で保持される。
なお、このような保持手段は、凹条１０に限定されるものではなく、容器本体１２の適宜箇所に形成されたスリット等であってもよく、可撓性を有するテープ体６を保持できるものであればよい。
【００２２】
このような保持手段（例えば凹条１０）を設けることにより、可撓性があるためにひらひらと動きやすいテープ体６のエアポンプ装置２の外側に位置する部分が容器本体１２の保持手段により保持されるので、活魚輸送容器１１を搬送する際にテープ体６が何かに引っ掛かって引き出され、エアポンプ装置２のモータＭの所期状態（停止状態又は駆動状態）が不意に変化してしまうことを防止できる。
【００２３】
次に、可撓性のある長尺のテープ体６のエアポンプ装置２の外側に位置する部分を引き出す操作による、エアポンプ装置２のモータＭの駆動・停止の切替えについて説明する。
【００２４】
テープ体６の導通用穴７，８が図４中の説明図（ａ）のように電極ＴＡ，ＴＡから外れている状態（使用前の状態）では、前記電極間に電気絶縁性のテープ体６が介在するので、モータＭに電源が供給されないため、モータＭは停止している。
このモータＭの停止状態から、図４中の説明図（ｂ）のように、テープ体６をエアポンプ装置２から第１所定長さＬ１引き出すと、テープ体６が前記電極間を摺動して導通用穴７，８が電極ＴＡ，ＴＡに重なる位置まで移動するので、導通用穴７，８を介して前記電極間が導通してモータＭに電源が供給されるため、モータＭは駆動する。
このモータＭの駆動状態から、図４中の説明図（ｃ）のように、テープ体６をエアポンプ装置２からさらに第２所定長さＬ２引き出すと、テープ体６が前記電極間を摺動して導通用穴７，８が電極ＴＡ，ＴＡから外れた位置まで移動するので、前記電極間に電気絶縁性のテープ体６が介在してモータＭに電源が供給されなくなるため、モータＭは停止する。
次に、このモータＭの停止状態から、図４中の説明図（ｄ）のようにテープ体６をエアポンプ装置２から引き出し、エアポンプ装置２から引き抜くと、前記電極間に介在する電気絶縁性のテープ体６が無くなるので、前記電極間が導通してモータＭに電源が供給されるため、モータＭは駆動する。
【００２５】
次に、テープ体６の所定長さの引出しを視認するためにテープ６及び容器本体１２に設ける視認手段について説明する。
【００２６】
図４中の説明図（ａ）〜（ｃ）、及び図５の要部拡大側面図に示すように、テープ体６の一端部６Ａに近い適宜箇所には、例えば「ＯＮ」、「ＯＦＦ」の文字や色分けである視認手段９Ａが設けられる。
また、図１及び図５に示すように、容器本体１２には、例えば矢印である視認手段９Ｂが設けられる。
そして、テープ体６を保持手段である上下方向の凹条１０内に入れた状態で、テープ体６の弛みを無くした状態にしておき、図４中の説明図（ａ）に対応する図５（ａ）の状態では、視認手段９Ｂの矢印が視認手段９Ａの「ＯＦＦ」を指しており、エアポンプ装置２のモータＭは停止している。
このモータＭの停止状態から、図５（ａ）の矢印Ａ１のようにテープ体６に操作力を加え、テープ体６を第１所定長さＬ１（図４参照）引き出した図４中の説明図（ｂ）に対応する図５（ｂ）の状態では、視認手段９Ｂの矢印が視認手段９Ａの「ＯＮ」を指しており、エアポンプ装置２のモータＭは駆動している。
このモータＭの駆動状態から、図５（ｂ）の矢印Ａ２のようにテープ体６に操作力を加え、テープ体６をさらに第２所定長さＬ２（図４参照）引き出した図４中の（ｃ）に対応する図５（ｃ）の状態では、視認手段９Ｂの矢印が視認手段９Ａの「ＯＦＦ」を指しており、エアポンプ装置２のモータＭは停止している。
【００２７】
このような視認手段９Ａ，９Ｂを設けることにより、テープ体６の第１所定長さＬ１の引出し及び第２所定長さＬ２の引出しを視認できるので、テープ体６を第１所定長さＬ１引き出してエアポンプ装置２のモータＭを停止状態から駆動状態に切り替える切替操作、及び、テープ体６をさらに第２所定長さＬ２引き出してモータＭを駆動状態から停止状態に切り替える切替操作の作業性及び確実性を向上できる。
【００２８】
また、図１〜図３の斜視図、並びに図６及び図７の縦断面図に示すように、容器本体１２のエアポンプ装置収容部１２Ｃは、側方からエアポンプ装置２を出し入れ可能なように形成されているので、エアポンプ装置２を容易に出し入れできる。
さらに、エアポンプ装置２をエアポンプ装置収容部１２Ｃに収容した状態で、テープ体６を引き出す際における操作力（図６及び図７中の矢印Ａ１，Ａ２，Ａ３参照）によるエアポンプ装置２の移動を規制する当止部１４が容器本体１２に設けられているので、テープ体６を引き出す操作を行ってもエアポンプ装置２が移動しないため、エアポンプ装置２のモータＭを停止状態又は駆動状態に切り替える切替操作をテープ体６の引出しにより行う作業の確実性をさらに向上できる。
【００２９】
次に、図４中の説明図（ａ）〜（ｄ）、図５の要部拡大側面図、並びに図６及び図７の縦断面図を参照して、本発明の実施の形態に係る活魚輸送容器１１を用いた活魚輸送方法について説明する。
【００３０】
先ず、空港まで陸路を輸送する前に、図６（ａ）の縦断面図に示すように、容器本体１２の上面開口１２Ａから活魚収容部１２Ｂ内に水（淡水、塩分を含んだ水、または海水等）Ｗとともに活魚Ｆを収容し、蓋体１３を容器本体１２の上端部に嵌合させて上面開口１２Ａを塞いだ状態にする。
この状態でテープ体６を図５（ａ）及び図６（ａ）の矢印Ａ１のように引く操作力を加え、テープ体６を第１所定長さＬ１（図４参照）引き出した図５（ｂ）及び図６（ｂ）の状態では、エアポンプ装置２のモータＭが駆動し、モータＭによりエアポンプＰが駆動され、エア吹出し体３から空気が水Ｗ中に供給されるため、この状態で空港まで陸路を輸送する。
以上において、容器本体１２の活魚収容部１２Ｂ内に水Ｗを入れ、テープ体６を操作してエア吹出し体３から空気を水Ｗ中に供給するようにしてから、活魚Ｆを入れて蓋体１３により閉蓋するようにしてもよいし、あるいはエア吹出し体３から空気を供給する状態にし、活魚収容部１２Ｂ内に水Ｗと活魚Ｆを入れて蓋体１３により閉蓋するようにしてもよいのは勿論であり適宜選択すればよい。
【００３１】
次に、空港に着いてから航空機が離陸するまでの間に、図５（ｂ）及び図６（ｂ）の矢印Ａ２のように引く操作力を加え、テープ体６を第２所定長さＬ２（図４参照）引き出した図５（ｃ）及び図７（ａ）の状態では、エアポンプ装置２のモータＭが停止するので、電磁ノイズを抑制して航空機の運行の安全を確保できるため、この状態で空輸する。
次に、航空機が目的地に着陸した後に、図５（ｃ）及び図７（ａ）の矢印Ａ３のように引く操作力を加え、テープ体６を引き抜いた図５（ｄ）及び図７（ｂ）の状態では、エアポンプ装置２のモータＭが駆動し、モータＭによりエアポンプＰが駆動され、エア吹出し体３から空気が水Ｗ中に供給されるため、この状態で陸路を輸送する。
【００３２】
以上のように活魚輸送容器１１を空輸する場合、図７（ａ）のように航空機の離陸時から着陸時までエアポンプ装置２のモータＭ（エアポンプＰ）が停止しているので、活魚Ｆを活きたまま輸送できる時間に制限がある。
よって、モータＭ（エアポンプＰ）の停止状態で活魚Ｆを活きたまま輸送できる時間を延ばすために、水Ｗとして、高濃度酸素水又は酸素ナノバブル水を用いると好ましい。
高濃度酸素水を用いた場合には通常の水よりも多量の酸素が溶かし込まれていることから、又酸素ナノバブル水を用いた場合には活魚が活性化されることから、エアポンプ装置２のモータＭ（エアポンプＰ）を停止させた状態で活魚Ｆを活きたまま輸送できる時間を延ばすことができるため、より遠方への空輸が可能になる。
【００３３】
以上のような本発明の実施の形態に係るエア吹込み装置１、及びエア吹込み装置１を備えた活魚輸送容器１１、並びに活魚輸送方法によれば、エア吹込み装置１を備えた活魚輸送容器１１に水Ｗとともに活魚Ｆを収容して活きたまま空輸する場合において、活魚輸送容器１１の容器本体１２にエアポンプ装置２を配置した状態で、容器本体１２の外側から可撓性のある長尺のテープ体６を引き出す簡単な操作により、エアポンプ装置２のモータＭの停止及び駆動を切り替えることができるので、モータＭの停止及び駆動を切り替える作業の作業性を向上できる。
また、エアポンプ装置２の電池収容部５の電極ＴＡ，ＴＡと電池Ｂ，Ｂの電極ＴＢ，ＴＢとの間である電極間にテープ体６を介在させ、エアポンプ装置２の外側からテープ体６を引き出す操作により前記電極間を摺動させるという簡素な構成であるので、製造コストの増大を抑制できる。
【００３４】
以上の説明においては、航空機が目的地に着陸した後におけるエアポンプ装置２のモータＭを駆動するための操作をテープ体６の引抜きにより行う場合を示したが、前記操作を、テープ体６を第２所定長さＬ２引き出した状態から、テープ体６をさらに第３所定長さ引き出すことにより行うようにしてもよい。その場合には、例えば、テープ体６を第３所定長さ引き出した際に電池収容部５の電極ＴＡ，ＴＡと電池Ｂ，Ｂの電極ＴＢ，ＴＢとの間に位置する導通用穴をテープ体６に形成しておけばよい。
なお、航空機が目的地に着陸した後には、なるべく早くエアポンプ装置２のモータＭを駆動してエア吹出し体３から水Ｗ中に空気を供給する必要があるので、テープ体６を引き出す作業における作業性を考慮すると、モータＭを駆動するための操作をテープ体６の引抜きにより行う構成の方がより好ましい実施態様である。何故なら、テープ体６を引き抜く作業であれば、引き出し長さの確認が不要であるので、より迅速な作業が可能であるためである。
特に、図８の斜視図に示すように多数の活魚輸送容器１１，１１，…を空輸する場合には、モータＭを駆動するための操作をテープ体６の引抜きにより行う構成が好ましい。
また、多数の活魚輸送容器１１，１１，…を空輸する場合において、多数のテープ体６，６，…の一端部６Ａ，６Ａ，…に穴をあけておき、航空機の離陸前に多数のテープ体６，６，…の穴に紐を通しておくようにすれば、航空機の着陸後に前記紐を引っ張る作業を行うことにより、多数の活魚輸送容器１１，１１，…のモータＭ，Ｍ，…を一括して駆動できる。
【００３５】
以上の説明においては、可撓性のある長尺のテープ体６を電気絶縁性とし、図４に示すように導通用穴７，８が形成する構成を示したが、テープ体６を、その長手方向に絶縁体と導電体が交互になるように形成しておくようにしてもよい。
すなわち、その場合は、テープ体６をエアポンプ装置２から第１所定長さＬ１引き出すと、前記電極間に導電体が位置してモータＭが駆動され、テープ体６をエアポンプ装置２からさらに第２所定長さＬ２引き出すと、前記電極間に絶縁体が位置してモータＭが停止するようにすればよい。
ただし、可撓性のある長尺のテープ体６を電気絶縁性として適宜箇所に導通用穴を形成する構成の方が、全体が電気絶縁性のテープ材の所定箇所に導通用穴を形成するだけで製造できるので、製造コストを低減できる。
【符号の説明】
【００３６】
Ｂ  電池
Ｆ  活魚
Ｌ１  第１所定長さ
Ｌ２  第２所定長さ
Ｍ  モータ
Ｐ  エアポンプ
ＴＡ  電池収容部の電極
ＴＢ  電池の電極
Ｗ  水
１  エア吹込み装置
２  エアポンプ装置
３  エア吹出し体
４  エアホース
５  電池収容部
６  テープ体
６Ａ  一端部
６Ｂ  他端部
７，８  導通用穴
９Ａ，９Ｂ  視認手段
１０  凹条（保持手段）
１１  活魚輸送容器
１２  容器本体
１２Ａ  上面開口
１２Ｂ  活魚収容部
１２Ｃ  エアポンプ装置収容部
１３  蓋体
１４  当止部
【図１】
0006295875.tif 000002
【図２】
0006295875.tif 000003
【図３】
0006295875.tif 000004
【図４】
0006295875.tif 000005
【図５】
0006295875.tif 000006
【図６】
0006295875.tif 000007
【図７】
0006295875.tif 000008
【図８】
0006295875.tif 000009